(57)【要約】【課題】  スイッチギヤの正面側から主回路の保守、点検作業を可能とする。【解決手段】  スイッチギヤの箱体１と、箱体１内に収納された引出形の遮断器３ａ、３ｂと、遮断器３ａ、３ｂに設けられるとともに、断路位置で引き抜くことの可能なインターロックプラグ７ａ、７ｂと、遮断器３ａ、３ｂの負荷側の主回路機器９ａ、９ｂ、１０ａ、１０ｂ、１１ａ、１１ｂに接続された点検用導体１２ａ、１２ｂと、点検用導体１２ａ、１２ｂ端と対向して設けられるとともに、箱体１の正面側に設けられた点検窓部１３ａ、１３ｂとを備え、点検窓部１３ａ、１３ｂは、プラグ差込口にインターロックプラグ７ａ、７ｂを差し込むことで開放することができ、点検用導体１２ａ、１２ｂから絶縁抵抗測定などの保守、点検作業をすることができる。【選択図】  図１
2007274861.tif 000002
【特許請求の範囲】
【請求項１】
箱体と、
前記箱体内に収納された引出形の遮断器と、
前記遮断器に設けられるとともに、断路位置で引き抜くことの可能なインターロックプラグと、
前記遮断器の負荷側の主回路機器に接続された点検用導体と、
前記点検用導体端と対向して前記箱体の正面側に設けられるとともに、プラグ差込口と点検扉とを有する点検窓部とを具備し、
前記プラグ差込口に前記インターロックプラグを差し込むことにより前記点検扉が開閉可能となることを特徴とする金属閉鎖形スイッチギヤ。
【請求項２】
前記点検用導体で前記主回路機器の絶縁抵抗測定を行うことを特徴とする請求項１に記載の金属閉鎖形スイッチギヤ。
【請求項３】
前記点検用導体で前記主回路機器の接地を行うことを特徴とする請求項１に記載の金属閉鎖形スイッチギヤ。
【請求項４】
前記点検窓部に前記遮断器を制御する電源プラグが接続されるコネクタを設け、前記点検扉の開放の表示、前記遮断器の位置表示をさせることを特徴とする請求項１乃至請求項３のいずれか１項に記載の金属閉鎖形スイッチギヤ。
【請求項５】
前記遮断器は、多段積みであることを特徴とする請求項１乃至請求項４のいずれか１項に記載の金属閉鎖形スイッチギヤ。
【発明の詳細な説明】
【技術分野】
【０００１】
本発明は、保守、点検作業を容易にし得る遮断器を収納した金属閉鎖形スイッチギヤに関する。
【背景技術】
【０００２】
従来のこの種の金属閉鎖形スイッチギヤには、遮断器、断路器などの電気機器が収納され、主回路導体などの保守、点検時には電気機器を断路位置にし、主回路を無充電の状態としている。この場合、遮断器と箱体とには、インターロック機構が設けられ、確実に主回路が無充電の状態になるようになっている。
【０００３】
インターロック機構には、遮断器が接続位置にあるとき、遮断器の制御回路に電源を供給する電源プラグが抜けないようにする手段や、断路位置に引き出せないようにする手段などが備わっている。また、遮断器が断路位置にあるときには、電源プラグを抜けるようにし、この電源プラグを挿入しないと接続位置へ移動できないような手段が備わっている。（例えば、特許文献１参照。）。
【特許文献１】特開２００２−１３５９１９号公報  （第３〜４ページ、図１）
【発明の開示】
【発明が解決しようとする課題】
【０００４】
上記の従来の金属閉鎖形スイッチギヤにおいては、次のような問題がある。  
遮断器を断路位置にした場合、遮断器自体は保守、点検を容易にすることができる。しかしながら、負荷側の主回路母線の絶縁抵抗測定や接地作業には、遮断器を収納している遮断器室と主回路母線室間に取り付けられているカバーなどを取り外さなければならなかった。
【０００５】
この保守、点検作業においては、遮断器が小型化の傾向にあって遮断器室が狭くなっているので、カバーなどの取り外しは作業スペースが狭く困難であった。特に、多段積みの遮断器では、上段の遮断器室での作業が高所となっていた。また、箱体の天井板や側板などを取り外すこともある。このため、インターロック機構を備えて、負荷側の主回路母線などの主回路機器の絶縁抵抗測定などの保守、点検作業が容易に行えるものが望まれていた。
【０００６】
本発明は上記問題を解決するためになされたもので、負荷側の主回路機器の保守、点検作業を容易にし得る金属閉鎖形スイッチギヤを提供することを目的とする。
【課題を解決するための手段】
【０００７】
上記目的を達成するために、箱体と、前記箱体内に収納された引出形の遮断器と、前記遮断器に設けられるとともに、断路位置で引き抜くことの可能なインターロックプラグと、前記遮断器の負荷側の主回路機器に接続された点検用導体と、前記点検用導体端と対向して前記箱体の正面側に設けられるとともに、プラグ差込口と点検扉とを有する点検窓部とを具備し、前記プラグ差込口に前記インターロックプラグを差し込むことにより前記点検扉が開閉可能となることを特徴とする。
【発明の効果】
【０００８】
本発明によれば、箱体の正面側に負荷側の主回路機器に接続された点検用導体を設け、この点検用導体に対向させて遮断器のインターロック機構の一部であるインターロックプラグにより開閉可能な点検窓部を設けているので、遮断器を断路位置にさせたときに負荷側の主回路機器の保守、点検作業を容易に行うことができる。
【発明を実施するための最良の形態】
【０００９】
以下、図面を参照して本発明の実施例を説明する。
【実施例】
【００１０】
本発明の実施例に係る金属閉鎖形スイッチギヤを図１乃至図５を参照して説明する。図１は、本発明の実施例に係る金属閉鎖形スイッチギヤの構成を示す側面図、図２は、本発明の実施例に係る金属閉鎖形スイッチギヤの点検窓部の構成を示す正面図、図３は、本発明の実施例に係る金属閉鎖形スイッチギヤの点検窓部の内部構成を示す正面図、図４は、本発明の実施例に係る金属閉鎖形スイッチギヤの遮断器を示す要部側面図、図５は、本発明の実施例に係る金属閉鎖形スイッチギヤの点検扉の開閉を説明する図である。
【００１１】
図１に示すように、箱体１内の中間部には、図示上下方向に板状の第１の仕切り板２ａが設けられ、背面側の主回路室１ａと、正面側の制御室１ｂとに仕切られている。更に、主回路室１ａは、コ字状の第２の仕切り板２ｂで仕切られている。即ち、上段の第１の遮断器室１ｃと、下段の第２の遮断器室１ｄと、中段の母線室１ｅと、背面側のケーブル室１ｆとに仕切られている。これにより、二段積みの遮断器室１ｃ、１ｄが構成される。
【００１２】
第１の遮断器室１ｃには、引出形の第１の遮断器３ａが設けられ、接続位置において第１の一次断路部４ａと接続されるようになっている。第２の遮断器室１ｄも同様に、引出形の第２の遮断器３ｂが設けられ、第２の一次断路部４ｂと接続されるようになっている。第１の一次断路部４ａと第２の一次断路部４ｂとの一方の主回路間は、母線室１ｅ内で接続導体５により接続されている。接続導体５には、電源側となる母線６が接続されている。
【００１３】
また、従来と同様に、第１の遮断器３ａには、接続位置にあるとき、断路位置に引き出せないようにする第１のインターロックプラグ７ａ、および制御回路に電源を供給する第１の電源プラグ８ａが設けられている。第２の遮断器３ｂも同様に、第２のインターロックプラグ７ｂ、および第２の電源プラグ８ｂが設けられている。このインターロックプラグ７ａ、７ｂは、遮断器３ａ、３ｂのインターロック機構を構成する一部である。
【００１４】
ケーブル室１ｆの上段には、第１の変流器９ａが設けられ、第１の一次断路部４ａの他方の主回路に接続されている。第１の変流器９ａには、負荷側に電力を供給する第１のケーブル１０ａが接続されている。また、第１の一次断路部４ａの他方の主回路には、第１の支持碍子１１ａに固定された第１の点検用導体１２ａが接続されている。ケーブル室１ｆの下段には、上段と同様に、第２の一次断路部４ｂの他方の主回路に第２の変流器９ｂが接続され、更に第２のケーブル１０ｂが接続されている。また、第２の一次断路部４ｂの他方の主回路には、第２の支持碍子１１ｂに固定された第２の点検用導体１２ｂが接続されている。
【００１５】
制御室１ｂの上段には、第１の点検用導体１２ａの先端部と対向する部分に、第１の仕切り板２ａに固定された第１の点検窓部１３ａが設けられている。制御室１ｂの下段にも、第２の点検用導体１２ｂの先端部と対向する部分に、第１の仕切り板２ａに固定された第２の点検窓部１３ｂが設けられている。これらの点検窓部１３ａ、１３ｂは、それぞれ箱体１の正面側に位置することになる。
【００１６】
また、それぞれの遮断器３ａ、３ｂと対向する部分には、遮断器３ａ、３ｂを断路位置まで引き出せることのできる引き出し板１４が設けられている。遮断器３ａ、３ｂを引き出し板１４上まで引き出したときには、一次断路部４ａ、４ｂと遮断器３ａ、３ｂの主回路とが開離し、断路位置となる。断路位置においては、それぞれのインターロックプラグ７ａ、７ｂ、および電源プラグ８ａ、８ｂが引き抜けるようになっている。
【００１７】
次に、第１の点検窓部１３ａ（第２の点検窓部１３ｂも同様）、およびインターロック機構を図２乃至図４を参照して説明する。
【００１８】
図２に示すように、第１の点検窓部１３ａには、回動自在のハンドル１５が取り付けられた開閉自在の点検扉１６が設けられている。点検扉１６の図示左側には、第１のインターロックプラグ７ａが接続されるプラグ差込口１７、および第１の電源プラグ８ａが接続されるコネクタ１８が設けられている。プラグ差込口１７には、点検扉１６を開閉するインターロック機構に係わる挿入穴１９ａと、電源を供給する端子穴１９ｂとが設けられている。また、第１のインターロックプラグ７ａをプラグ差込口１７に接続したとき、点灯する表示灯２０が設けられている。
【００１９】
また、図３に示すように、点検扉１６の内側には、ハンドル１５の軸に回動板２１が固定されている。即ち、回動板２１は、ハンドル１５と同様の回動ができるようになっている。回動板２１の端面には、端面をテーパ状としたスライド板２２が設けられている。スライド板２２には、大径穴２３ａと細長い小径穴２３ｂとを組み合わせた楕円状の長円穴２３が設けられている。大径穴２３ａは、点検扉１６を閉じたとき、挿入穴１９ａと一致する。
【００２０】
固定部材に固定された固定ピン２４とスライド板２２に固定された可動ピン２５間には、スライド板２２を回動板２１側に押し付けるように付勢されたバネ２６が設けられている。回動板２１の近傍には、回動を阻止するストッパー２７が設けられている。ストッパー２７は、マグネットスイッチ２８により移動でき、移動すると回動板２１が回動できるようになっている。また、点検扉１６の開放時に動作するリミットスイッチ２９が設けられている。
【００２１】
また、図４に示すように、第１の遮断器３ａの第１のインターロックプラグ７ａには、大径穴２３ａに差し込めるインターロックピン３０が設けられている。このインターロックピン３０には、環状の溝３１が設けられ、小径穴２３ｂを移動できるようになっている。第１のインターロックプラグ７ａには、プラグ差込口１７の端子穴１９ｂと接続される端子３２が設けられている。第１の電源プラグ８ａにも、コネクタ１８と接続される端子３３が設けられている。
【００２２】
次に、点検扉１６の開閉動作を図５を参照して説明する。
【００２３】
図５（ａ）は、点検扉１６が閉状態である。スライド板２２がバネ２６により、図示点線で示すように、回動板２１に押し付けられている。図５（ｂ）は、インターロックピン３０を挿入穴１９ａから大径穴２３ａに差し込んだ状態であり、（１）は正面図、（２）は（１）を図示上方から見た図である。図示していないが、端子３２は、端子穴１９ｂに接続される。
【００２４】
端子３２と端子穴１９ｂとが接続されると、マグネットスイッチ２８が動作し図示実線で示すように、ストッパー２７が移動する。これにより、回動を阻止しているストッパー２７が外れ、回動板２１が回動可能となる。同時に、表示灯２０が点灯する。
【００２５】
図５（ｃ）は、図示実線で示すように、ハンドル１５を反時計方向に回した状態である。ハンドル１５を回す（回動）と、回動板２１も同様に回動する。すると、スライド板２２が図示実線で示すように、バネ２６のバネ力によりハンドル１５側に移動する。この移動においては、溝３１内を小径穴２３ｂがスライドする。これにより、点検扉１６を開くことができる。一旦開放すると、スライド板２２が干渉しているので、点検扉１６を閉めることができない。更に、インターロックピン３０の溝３１が小径穴２３ｂに位置しているので、第１のインターロックプラグ７ａを抜くこともできない。
【００２６】
点検扉１６を開くことのできる条件は、第１の遮断器３ａが断路位置であり、負荷側が無充電の状態となる。このため、点検扉１６に端部が対向配置されている第１の点検用導体１２ａから、第１の支持碍子１１ａや第１の変流器９ａ、第１のケーブル１０ａなど（負荷側の主回路機器）の絶縁抵抗測定をすることができる。また、図示しない接地線を接続し、負荷側の主回路機器を接地することができる。即ち、第１の点検用導体１２ａは、負荷側の主回路機器を保守、点検するための端子となる。これらの作業中には、第１のインターロックプラグ７ａが抜けないので、第１の遮断器３ａを接続位置に移動させることができない。
【００２７】
また、リミットスイッチ２９を介して、コネクタ１８から点検扉１６の開放の表示、第１の遮断器３ａの断路位置の表示、接続位置への移動阻止などの電気的インターロックとすることができる。
【００２８】
図５（ｄ）は、スライド板２２を図示実線のように移動させ、ハンドル１５を時計方向に回動させた状態である。これにより、インターロックピン３０をスライド板２２の大径穴２３ａから抜くことができる。また、点検扉１６を閉めることができる。
【００２９】
上記実施例の金属閉鎖形スイッチギヤによれば、箱体１の正面側の第１の仕切り板２ａに、負荷側の主回路機器に接続された点検用導体１２ａ、１２ｂ端部と対向させた点検窓部１３ａ、１３ｂを設け、この点検窓部１３ａ、１３ｂの点検扉１６を遮断器３ａ、３ｂのインターロックプラブ７ａ、７ｂにより開閉可能としているので、負荷側の主回路機器の絶縁抵抗測定や接地作業などの保守、点検作業を箱体１の正面側から容易に行うことができる。
【００３０】
なお、本発明は、上記実施例に限定されるものではなく、発明の要旨を逸脱しない範囲で、種々変形して実施することができる。上記実施例では、二段積みの遮断器３ａ、３ｂついて説明したが、二段以上の複数段積み、あるいは段積みをしない遮断器においても、箱体の正面側にインターロック機構を備えた点検窓部を設けることにより、保守、点検作業を容易に行うことができる。
【図面の簡単な説明】
【００３１】
【図１】本発明の実施例に係る金属閉鎖形スイッチギヤの構成を示す側面図。
【図２】本発明の実施例に係る金属閉鎖形スイッチギヤの点検窓部の構成を示す正面図。
【図３】本発明の実施例に係る金属閉鎖形スイッチギヤの点検窓部の内部構成を示す正面図。
【図４】本発明の実施例に係る金属閉鎖形スイッチギヤの遮断器を示す要部側面図。
【図５】本発明の実施例に係る金属閉鎖形スイッチギヤの点検扉の開閉を説明する図。
【符号の説明】
【００３２】
１  箱体
１ａ  主回路室
１ｂ  制御室
１ｃ  第１の遮断器室
１ｄ  第２の遮断器室
１ｅ  母線室
１ｆ  ケーブル室
２ａ  第１の仕切り板
２ｂ  第２の仕切り板
３ａ  第１の遮断器
３ｂ  第２の遮断器
４ａ  第１の一次断路部
４ｂ  第２の一次断路部
５  接続導体
６  母線
７ａ  第１のインターロックプラグ
７ｂ  第２のインターロックプラグ
８ａ  第１の電源プラグ
８ｂ  第２の電源プラグ
９ａ  第１の変流器
９ｂ  第２の変流器
１０ａ  第１のケーブル
１０ｂ  第２のケーブル
１１ａ  第１の支持碍子
１１ｂ  第２の支持碍子
１２ａ  第１の点検用導体
１２ｂ  第２の点検用導体
１３ａ  第１の点検窓部
１３ｂ  第２の点検窓部
１４  引き出し板
１５  ハンドル
１６  点検扉
１７  プラグ差込口
１８  コネクタ
１９ａ  挿入穴
１９ｂ  端子穴
２０  表示灯
２１  回動板
２２  スライド板
２３  長円穴
２３ａ  大径穴
２３ｂ  小径穴
２４  固定ピン
２５  可動ピン
２６  バネ
２７  ストッパー
２８  マグネットスイッチ
２９  リミットスイッチ
３０  インターロックピン
３１  溝
３２、３３  端子
【図１】
2007274861.tif 000003
【図２】
2007274861.tif 000004
【図３】
2007274861.tif 000005
【図４】
2007274861.tif 000006
【図５】
2007274861.tif 000007